【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
薬液として少なくとも造影剤を注入する注入機構と、
少なくとも造影剤が注入される第１の注入、および前記第１の注入の後に行う、少なくとも造影剤が注入される第２の注入を含む、前記薬液の注入条件を決定し、決定した前記注入条件に従って前記薬液が注入されるように前記注入機構の動作を制御する注入制御ユニットと、
被験者にＸ線を照射し、被験者を透過したＸ線投影データを収集する撮像ユニットと、
前記撮像ユニットの動作を制御するとともに、前記撮像ユニットで収集されたＸ線投影データを再構成してＣＴ画像データを作成し、作成したＣＴ画像データからＣＴ値を測定する撮像制御ユニットと、を有し、
前記注入制御ユニットは、前記第２の注入での前記造影剤の注入速度を決定し、かつ、前記第１の注入での前記造影剤の注入速度を、前記第２の注入での前記造影剤の注入速度と同じになるように決定し、
前記撮像制御ユニットは、前記第１の注入の開始後にボーラストラッキングにより前記ＣＴ値を監視し、前記ボーラストラッキングでの前記ＣＴ値がピーク値を越えた直後の時点をトリガとして、予め設定されたスキャン中断時間の後に前記撮像ユニットに本スキャンを実行させることを特徴とするＣＴシステム。
【請求項２】
前記スキャン中断時間が、前記第２の注入が開始された後に前記本スキャンが実行されるように設定される請求項１に記載のＣＴシステム。
【請求項３】
前記注入制御ユニットは、前記第１の注入の開始と同時に第１の注入開始信号を前記ＣＴ装置に送信するように構成され、
前記撮像制御ユニットは、前記第１の注入開始信号の受信後、前記ボーラストラッキングを実行する請求項１または２に記載のＣＴシステム。
【請求項４】
前記薬液は生理食塩水をさらに含み、
前記注入制御ユニットは、前記第１の注入および前記第２の注入が、それぞれ生理食塩水の注入を含むように前記注入条件を決定する請求項１から３のいずれか一項に記載のＣＴシステム。
【請求項５】
前記注入制御ユニットは、前記第１の注入および前記第２の注入が、それぞれ造影剤を注入した後に生理食塩水を注入することを含むように前記注入条件を決定する請求項４に記載のＣＴシステム。
【請求項６】
前記注入制御ユニットは、前記第２の注入が、１００％の割合での造影剤の注入から生理食塩水の割合を徐々に増やして造影剤の割合を減少させることを含むように前記注入条件を決定する請求項４に記載のＣＴシステム。
【請求項７】
前記注入制御ユニットは、前記第１の注入での造影剤の注入量が前記第２の注入での造影剤の注入量よりも少ない量であるように前記注入条件を決定する請求項１から６のいずれか一項に記載のＣＴシステム。
【請求項８】
薬液として少なくとも造影剤を注入する注入機構と、前記注入機構の動作を制御する注入制御ユニットと、被験者にＸ線を照射し、被験者を透過したＸ線投影データを収集する撮像ユニットと、前記撮像ユニットの動作を制御する撮像制御ユニットと、を有するＣＴシステムの作動方法であって、
前記注入制御ユニットが、少なくとも造影剤が注入される第１の注入、および前記第１の造影剤注入の後に行う、少なくとも造影剤が注入される第２の注入を含む、前記薬液の注入条件を決定し、決定した前記注入条件に従って前記薬液が注入されるように前記注入機構の動作を制御することと、
前記撮像制御ユニットが、前記撮像ユニットで収集されたＸ線投影データを再構成してＣＴ画像データを作成し、作成したＣＴ画像データからＣＴ値を測定することと、
を含み、
前記薬液の注入条件を決定することは、前記第２の注入での前記造影剤の注入速度を決定し、かつ、前記第１の注入での前記造影剤の注入速度を、前記第２の注入での前記造影剤の注入速度と同じになるように決定することを含み、
前記撮像制御ユニットが、前記第１の注入の開始後にボーラストラッキングにより前記ＣＴ値を監視することと、前記ボーラストラッキングでの前記ＣＴ値がピーク値を超えた直後の時点をトリガとして、予め設定されたスキャン中断時間の後に前記撮像ユニットに本スキャンを実行ささることと、をさらに含む、
ＣＴシステムの作動方法。
【請求項９】
薬液として少なくとも造影剤を注入する注入機構と、前記注入機構の動作を制御する注入制御ユニットと、被験者にＸ線を照射し、被験者を透過したＸ線投影データを収集する撮像ユニットと、前記撮像ユニットの動作を制御する撮像制御ユニットと、を有するＣＴシステムに、請求項８に記載のＣＴシステムの作動方法を実行させる一つまたは複数のコンピュータプログラム。
【手続補正２】
【補正対象書類名】明細書
【補正対象項目名】発明の名称
【補正方法】変更
【補正の内容】
【発明の名称】ＣＴシステム、ＣＴシステムの作動方法およびＣＴシステムの作動方法を実行させる一つまたは複数のコンピュータプログラム
【手続補正３】
【補正対象書類名】明細書
【補正対象項目名】０００１
【補正方法】変更
【補正の内容】
【０００１】
本発明は、被験者のＣＴ画像を撮像するために被験者に造影剤などの薬液を注入する薬液注入装置、およびこの薬液注入装置とともに用いられて被験者のＣＴ画像を撮像するＣＴ装置を含むＣＴシステム等に関する。
【手続補正４】
【補正対象書類名】明細書
【補正対象項目名】００１１
【補正方法】変更
【補正の内容】
【００１１】
本発明は、薬液の使用量を抑えつつ、より簡便に、かつ高いスループットでの検査を可能とするＣＴシステムを提供することを目的とする。
【手続補正５】
【補正対象書類名】明細書
【補正対象項目名】００１２
【補正方法】変更
【補正の内容】
【００１２】
本発明のＣＴシステムは、薬液として少なくとも造影剤を注入する注入機構と、
少なくとも造影剤が注入される第１の注入、および前記第１の注入の後に行う、少なくとも造影剤が注入される第２の注入を含む、前記薬液の注入条件を決定し、決定した前記注入条件に従って前記薬液が注入されるように前記注入機構の動作を制御する注入制御ユニットと、
被験者にＸ線を照射し、被験者を透過したＸ線投影データを収集する撮像ユニットと、
前記撮像ユニットの動作を制御するとともに、前記撮像ユニットで収集されたＸ線投影データを再構成してＣＴ画像データを作成し、作成したＣＴ画像データからＣＴ値を測定する撮像制御ユニットと、を有し、
前記注入制御ユニットは、前記第２の注入での前記造影剤の注入速度を決定し、かつ、前記第１の注入での前記造影剤の注入速度を、前記第２の注入での前記造影剤の注入速度と同じになるように決定し、
前記撮像制御ユニットは、前記第１の注入の開始後にボーラストラッキングにより前記ＣＴ値を監視し、前記ボーラストラッキングでの前記ＣＴ値がピーク値を越えた直後の時点をトリガとして、予め設定されたスキャン中断時間の後に前記撮像ユニットに本スキャンを実行させることを特徴とする。
【手続補正６】
【補正対象書類名】明細書
【補正対象項目名】００１３
【補正方法】変更
【補正の内容】
【００１３】
上記本発明のＣＴシステム薬液注入装置において、前記スキャン中断時間が、前記第２の注入が開始された後に前記本スキャンが実行されるように設定されることができる。
【手続補正７】
【補正対象書類名】明細書
【補正対象項目名】００１４
【補正方法】変更
【補正の内容】
【００１４】
また、薬液として生理食塩水をさらに含み、
前記注入制御ユニットは、前記第１の注入および前記第２の注入が、それぞれ生理食塩水の注入を含むように前記注入条件を決定してもよいし、前記第１の注入での造影剤の注入量が前記第２の注入での造影剤の注入量よりも少ない量であるように前記注入条件を決定してもよい。
【手続補正８】
【補正対象書類名】明細書
【補正対象項目名】００１５
【補正方法】変更
【補正の内容】
【００１５】
本発明の他の態様では、薬液として少なくとも造影剤を注入する注入機構と、前記注入機構の動作を制御する注入制御ユニットと、被験者にＸ線を照射し、被験者を透過したＸ線投影データを収集する撮像ユニットと、前記撮像ユニットの動作を制御する撮像制御ユニットと、を有するＣＴシステムの作動方法であって、
前記注入制御ユニットが、少なくとも造影剤が注入される第１の注入、および前記第１の注入の後に行う、少なくとも造影剤が注入される第２の注入を含む、前記薬液の注入条件を決定し、決定した前記注入条件に従って前記薬液が注入されるように前記注入機構の動作を制御することと、
前記撮像制御ユニットが、前記撮像ユニットで収集されたＸ線投影データを再構成してＣＴ画像データを作成し、作成したＣＴ画像データからＣＴ値を測定することと、
を含み、
前記薬液の注入条件を決定することは、前記第２の注入での前記造影剤の注入速度を決定し、かつ、前記第１の注入での前記造影剤の注入速度を、前記第２の注入での前記造影剤の注入速度と同じになるように決定することを含み、
前記撮像制御ユニットが、前記第１の注入の開始後にボーラストラッキングにより前記ＣＴ値を監視することと、前記ボーラストラッキングでの前記ＣＴ値がピーク値を超えた直後の時点をトリガとして、予め設定されたスキャン中断時間の後に前記撮像ユニットに本スキャンを実行ささることと、をさらに含む、
ＣＴシステムの作動方法を提供する。
【手続補正９】
【補正対象書類名】明細書
【補正対象項目名】００１６
【補正方法】変更
【補正の内容】
【００１６】
また本発明は、薬液として少なくとも造影剤を注入する注入機構と、前記注入機構の動作を制御する注入制御ユニットと、被験者にＸ線を照射し、被験者を透過したＸ線投影データを収集する撮像ユニットと、前記撮像ユニットの動作を制御する撮像制御ユニットと、を有するＣＴシステムに、上記ＣＴシステムの作動方法を実行させる一つまたは複数のコンピュータプログラムも提供する。
【手続補正１０】
【補正対象書類名】明細書
【補正対象項目名】００１７
【補正方法】変更
【補正の内容】
【００１７】
本発明によれば、注入制御ユニットは、第１の注入およびその後の第２の注入を含む注入条件に従って薬液が注入されるように注入機構の動作を制御し、また、撮像制御ユニットは、ボーラストラッキングでのＣＴ値の監視結果から、ＣＴ値がピークを越えた直後の時点をトリガとして、スキャン中断時間の後に本スキャンを実行させるように構成される。これにより、薬液の注入量を低減しつつ、適切なタイミングで撮像を行え、しかもより簡便に、高スループットでの検査か可能となる。